(57)【要約】【課題】リファレンス信号を伝送させる前段階での劣化を防ぎ、音声の正確な伝送品質を評価する。【解決手段】リファレンス信号を送信する信号伝送端末１と、当該リファレンス信号を受信する信号伝送端末２とがネットワークＮＷを介して通信可能に構成され、信号伝送端末１の伝送制御部１１により、信号記憶部１Ａに記憶されているリファレンス信号が直接、通信の確立された伝送路内に挿入され、送信処理部１３により、信号伝送端末２に対して送信される。リファレンス信号を受信した信号受信端末２は評価処理部２２により、受信したリファレンス信号と、信号記憶部２Ａに記憶されたリファレンス信号とを対比することにより、信号伝送品質を評価する。【選択図】図１
2018182606.tif 000002
【特許請求の範囲】
【請求項１】
信号伝送端末による音声信号の伝送品質を評価するシステムであって、
リファレンス信号を送信する信号伝送端末と、当該リファレンス信号を受信する信号受信端末とが、ネットワークを介して通信可能に構成され、
上記信号伝送端末が、
リファレンス信号を記憶する第一の信号記憶手段と、
上記信号受信端末に対し、上記リファレンスを送信する送信処理手段と、
上記第一の信号記憶手段に記憶されているリファレンス信号を直接、通信の確立された伝送路内に挿入し、上記送信処理手段により、上記信号受信端末に対して上記リファレンス信号を送信させる伝送制御手段と、を有し、
上記信号受信端末が、
上記信号伝送端末が記憶するリファレンス信号と同一のリファレンス信号を記憶する第二の信号記憶手段と、
上記信号伝送端末から、上記リファレンス信号を受信する受信処理手段と、
上記受信したリファレンス信号と、上記第二の信号記憶手段に記憶されたリファレンス信号とを対比することにより、信号伝送品質を評価する評価処理手段と、を有する、
ことを特徴とする信号伝送品質評価システム。
【請求項２】
上記伝送制御手段は、両端末間の通信の確立に応じて、上記第一の信号記憶手段に記憶されているリファレンス信号を直接、通信の確立された伝送路内に挿入し、上記送信処理手段により、上記信号受信端末に対して上記リファレンス信号を送信する、
請求項１記載の信号伝送品質評価システム。
【請求項３】
上記送信処理手段は、所定の時間、繰り返し、通信の確立された伝送路内に、上記第一の信号記憶手段に記憶されているリファレンス信号を直接、挿入して、上記リファレンス信号を上記信号受信端末に送信する、
請求項１記載の信号伝送品質評価システム。
【請求項４】
一対の信号伝送端末による音声信号の伝送品質を同時に評価するシステムであって、
一の信号伝送端末が、
リファレンス信号を記憶する第一の信号記憶手段と、
通信の確立された伝送路内に、上記第一の信号記憶手段に記憶されているリファレンス信号を直接、挿入して、上記リファレンス信号を他の信号伝送端末に送信する第一の送信処理手段と、
他の信号伝送端末から上記リファレンス信号を受信する第一の受信処理手段と、
上記受信したリファレンス信号と、上記第一の信号記憶手段に記憶されたリファレンス信号とを対比することにより、信号伝送品質を評価する第一の評価処理手段と、を有し、
上記他の信号伝送端末が、
上記一の信号伝送端末が記憶するリファレンス信号と同一のリファレンス信号を記憶する第二の信号記憶手段と、
通信の確立された伝送路内に、上記第二の信号記憶手段に記憶されているリファレンス信号を直接、挿入して、上記リファレンス信号を上記一の信号伝送端末に送信する第二の送信処理手段と、
上記一の信号伝送端末から上記リファレンス信号を受信する受信処理手段と、
上記受信したリファレンス信号と、上記第二の信号記憶手段に記憶されたリファレンス信号とを対比することにより、信号伝送品質を評価する第二の評価処理手段と、を有する、
ことを特徴とする信号伝送端末の信号伝送品質評価システム。
【請求項５】
信号伝送端末による音声信号の伝送品質を評価する方法であって、
リファレンス信号を記憶する第一の信号記憶手段、を有する上記信号伝送端末が、
通信の確立された伝送路内に、上記第一の信号記憶手段に記憶されているリファレンス信号を直接、挿入して、上記リファレンス信号を信号受信端末に送信する送信処理、を実行し、
上記信号伝送端末が記憶するリファレンス信号と同一のリファレンス信号を記憶する第二の信号記憶手段、有する上記信号受信端末が、
上記信号伝送端末から上記リファレンス信号を受信する受信処理と、
上記受信したリファレンス信号と、上記第二の信号記憶手段に記憶されたリファレンス信号とを対比することにより、信号伝送品質を評価する評価処理と、を実行する、
ことを特徴とする信号伝送端末の信号伝送品質評価方法。
【請求項６】
信号伝送端末による音声信号の伝送品質を評価するためのコンピュータプログラムであって、
リファレンス信号を記憶する第一の信号記憶手段、を有する上記信号伝送端末に対し、
通信の確立された伝送路内に、上記第一の信号記憶手段に記憶されているリファレンス信号を直接、挿入して、上記リファレンス信号を他の信号伝送端末に送信する送信処理と、
上記他の信号伝送端末から上記リファレンス信号を受信する受信処理と、
上記受信したリファレンス信号と、上記第二の信号記憶手段に記憶されたリファレンス信号とを対比することにより、信号伝送品質を評価する評価処理と、を実行させる、
コンピュータプログラム。
【発明の詳細な説明】
【技術分野】
【０００１】
本発明は、ネットワークを介した音声信号の伝送品質を評価する技術に関する。
【背景技術】
【０００２】
従来、移動体通信事業者は、自社のネットワークが提供している品質（接続成功率や切断率）を測定し、それを改善させることにより、エンドユーザの満足度向上に努めている。
音声品質を評価する場合、典型的な方法ではまず、携帯電話機にリファレンス信号としての音声信号を挿入すると共に、当該挿入したリファレンス信号を他の携帯電話機に送信する。そして、他の携帯電話機でリファレンス信号を受信すると共に録音し、当該録音されたリファレンス信号とオリジナルのリファレンス信号とを比較する。
【０００３】
ここで、携帯電話機へのリファレンス信号の挿入は、リファレンス信号を外部音声再生器に一旦、録音し、ケーブル経由でイヤホンジャックを使用して行っていた。しかしながら、この場合、ケーブルを使用するためにアナログ変換や雑音重畳によりリファレンス信号自体の劣化が起こり、正確な音声品質評価ができなかった。また、外部音声再生器は手動操作が必要なため、測定の手間が多い。さらに、二端末間で双方向の音声評価を行う場合は、交互に測定方向の切り替えを行ったり、測定系を二重に準備したりする必要があった。
【先行技術文献】
【特許文献】
【０００４】
【特許文献１】特開平１１−１２７１０２号公報
【特許文献２】特開平９−３２６７７３号公報
【特許文献３】特開２００２−３３７０８号公報
【特許文献４】特表２００２−５０８８９９号公報
【発明の概要】
【発明が解決しようとする課題】
【０００５】
そこで、本発明は、リファレンス信号を伝送させる前段階での劣化を防ぎ、音声の正確な伝送品質を評価することを目的とする。また、二端末間における双方向の伝送品質の評価を容易に行うことを目的とする。
【課題を解決するための手段】
【０００６】
上記目的を達成するため、本発明の一の観点に係る信号伝送品質評価システムは、信号伝送端末による音声信号の伝送品質を評価するシステムであって、リファレンス信号を送信する信号伝送端末と、当該リファレンス信号を受信する信号受信端末とが、ネットワークを介して通信可能に構成され、上記信号伝送端末が、リファレンス信号を記憶する第一の信号記憶手段と、上記信号受信端末に対し、上記リファレンスを送信する送信処理手段と、上記第一の信号記憶手段に記憶されているリファレンス信号を直接、通信の確立された伝送路内に挿入し、上記送信処理手段により、上記信号受信端末に対して上記リファレンス信号を送信させる伝送制御手段と、を有し、上記信号受信端末が、上記信号伝送端末が記憶するリファレンス信号と同一のリファレンス信号を記憶する第二の信号記憶手段と、上記信号伝送端末から、上記リファレンス信号を受信する受信処理手段と、上記受信したリファレンス信号と、上記第二の信号記憶手段に記憶されたリファレンス信号とを対比することにより、信号伝送品質を評価する評価処理手段と、を有することを特徴とする。
【０００７】
また、上記伝送制御手段は、両端末間の通信の確立に応じて、上記第一の信号記憶手段に記憶されているリファレンス信号を直接、通信の確立された伝送路内に挿入し、上記送信処理手段により、上記信号受信端末に対して上記リファレンス信号を送信するものとしてもよい。
【０００８】
また、上記送信処理手段は、所定の時間、繰り返し、通信の確立された伝送路内に、上記第一の信号記憶手段に記憶されているリファレンス信号を直接、挿入して、上記リファレンス信号を上記信号受信端末に送信するものとしてもよい。
【０００９】
また、本発明の別の観点に係る信号伝送品質評価システムは、一対の信号伝送端末による音声信号の伝送品質を同時に評価するシステムであって、一の信号伝送端末が、リファレンス信号を記憶する第一の信号記憶手段と、通信の確立された伝送路内に、上記第一の信号記憶手段に記憶されているリファレンス信号を直接、挿入して、上記リファレンス信号を他の信号伝送端末に送信する第一の送信処理手段と、他の信号伝送端末から上記リファレンス信号を受信する第一の受信処理手段と、上記受信したリファレンス信号と、上記第一の信号記憶手段に記憶されたリファレンス信号とを対比することにより、信号伝送品質を評価する第一の評価処理手段と、を有し、上記他の信号伝送端末が、上記一の信号伝送端末が記憶するリファレンス信号と同一のリファレンス信号を記憶する第二の信号記憶手段と、通信の確立された伝送路内に、上記第二の信号記憶手段に記憶されているリファレンス信号を直接、挿入して、上記リファレンス信号を上記一の信号伝送端末に送信する第二の送信処理手段と、上記一の信号伝送端末から上記リファレンス信号を受信する受信処理手段と、
上記受信したリファレンス信号と、上記第二の信号記憶手段に記憶されたリファレンス信号とを対比することにより、信号伝送品質を評価する第二の評価処理手段と、を有することを特徴とする。
【００１０】
また、本発明の別の観点に係る信号伝送品質評価方法は、信号伝送端末による音声信号の伝送品質を評価する方法であって、リファレンス信号を記憶する第一の信号記憶手段、を有する上記信号伝送端末が、通信の確立された伝送路内に、上記第一の信号記憶手段に記憶されているリファレンス信号を直接、挿入して、上記リファレンス信号を信号受信端末に送信する送信処理、を実行し、上記信号伝送端末が記憶するリファレンス信号と同一のリファレンス信号を記憶する第二の信号記憶手段、有する上記信号受信端末が、上記信号伝送端末から上記リファレンス信号を受信する受信処理と、上記受信したリファレンス信号と、上記第二の信号記憶手段に記憶されたリファレンス信号とを対比することにより、信号伝送品質を評価する評価処理と、を実行することを特徴とする。
【００１１】
また、本発明のさらに別の観点に係るコンピュータプログラムは、信号伝送端末による音声信号の伝送品質を評価するためのコンピュータプログラムであって、リファレンス信号を記憶する第一の信号記憶手段、を有する上記信号伝送端末に対し、通信の確立された伝送路内に、上記第一の信号記憶手段に記憶されているリファレンス信号を直接、挿入して、上記リファレンス信号を他の信号伝送端末に送信する送信処理と、上記他の信号伝送端末から上記リファレンス信号を受信する受信処理と、上記受信したリファレンス信号と、上記第二の信号記憶手段に記憶されたリファレンス信号とを対比することにより、信号伝送品質を評価する評価処理と、を実行させる。
【発明の効果】
【００１２】
本発明によれば、リファレンス信号を伝送させる前段階での劣化を防ぐことができ、これにより音声の正確な伝送品質を評価することができる。また、二端末間における双方向の伝送品質の評価を容易に行うことができる。さらに、音声品質評価にかかる手間が軽減される。
【図面の簡単な説明】
【００１３】
【図１】本発明の実施形態に係る信号伝送品質評価システムにおいて、信号伝送端末が備える機能を示した機能ブロック図である。
【図２】本実施形態に係る信号伝送品質評価システムによる一連の処理の流れを示したシーケンス図である。
【図３】本実施形態に係る信号伝送品質評価システムにおけるリファレンス信号の構成を示す模式図である。
【図４】本実施形態に係る信号伝送品質評価システムにおいて、発呼側の信号伝送端末上に展開される画面の一例を示した図である。
【図５】本実施形態に係る信号伝送品質評価システムにおいて、着呼側の信号伝送端末上に展開される画面の一例を示した図である。
【発明を実施するための形態】
【００１４】
以下、本発明の実施形態に係る信号伝送品質評価システムについて、図を参照して説明する。
信号伝送品質評価システムは、携帯型電話機等の信号伝送端末の信号伝送品質を評価するシステムである。
この信号伝送品質評価システムは図１に示されるように、ネットワークＮＷを介して通信可能に構成された二つの信号伝送端末１、２間でリファレンス信号を伝送させ合い、各端末が受信したリファレンス信号の品質を評価する。
なお、信号伝送端末１、２はいずれも、リファレンス信号の送信と受信の双方をインタラクティブに実行し、他方の端末から受信したリファレンス信号に基づいて信号伝送品質を評価する。そのため、信号伝送端末１、２は、リファレンス信号を送信する端末として機能すると同時に、リファレンス信号を受信する端末（信号受信端末）としても機能する。
【００１５】
信号伝送端末１は、データの送受が可能な携帯型電話機等によって実現され、CPU(Central Processing Unit)、CPUが実行するコンピュータプログラム、RAM(Random Access Memory)やROM(Read Only Memory)などのメモリにより、信号記憶部１Ａ、伝送制御部１１、評価処理部１２、及び通信処理部１３からなる機能ブロックを構成する。
【００１６】
信号記憶部１Ａは、リファレンス信号を記憶した記憶部である。
リファレンス信号は、信号伝送端末１の信号伝送品質を評価するための信号である。このリファレンス信号は図２に示されるように、評価の質の観点から、複数（本例では４つ）の音声ファイルによって構成されており、信号伝送品質の評価が実行される際は、所定時間、繰り返し送信される。
【００１７】
なお、以下の説明においては、信号伝送端末１（２）から送信され、信号伝送端末２（１）において受信したリファレンス信号と、信号伝送端末１（２）の信号記憶部１Ａに記憶されているリファレンス信号を区別するため、前者を「試験信号」、後者を「オリジナル信号」と称することがある。
【００１８】
伝送制御部１１は、信号伝送端末２との間で、リファレンス信号の送受信が可能となるように通信を確立させる。
また、信号伝送端末１、２間の通信の確立に応じて、信号記憶部１Ａに記憶されているリファレンス信号を直接、通信の確立された伝送路内に挿入し、送信処理部１３により、信号伝送端末２（１）に対して当該リファレンス信号を送信させる。即ち、伝送制御部１１は、信号伝送端末１のAPIを使用して、信号記憶部１Ａから読み込んだリファレンス信号を音声信号に変換することなく、あるいは音声入力機構を経ずに、デジタルデータのまま直接、伝送路に挿入する。
【００１９】
評価処理部１２は、信号伝送端末２から受信した試験信号と、信号記憶部１Ａに記憶されているオリジナル信号とを対比することにより、信号伝送品質を評価する。
なお、評価の際は、信号伝送端末２から受信したリファレンス信号を録音しつつ、録音が完了した音声ファイルごとに評価を実行する。また、受信したリファレンス信号を構成する各音声ファイルは、各音声ファイル１の開始位置に挿入されたビープ音からの時間によって識別される。即ち、図２に示されるようにビープ音によって識別された音声ファイル１の開始位置から、所定時間録音されたものが音声ファイル１、音声ファイル１の終了タイミングから所定時間録音されたものが音声ファイル２、といったように識別される。このように、リファレンス信号を構成する各音声ファイルを音声ファイル１の開始位置からの時間によって識別することにより、音声ファイル間の識別を全てビープ音で行うような場合と異なり、品質劣化によってビープ音自体を識別できないといった不具合を生じにくい。
【００２０】
通信処理部１３は、インターネット等のネットワークＮＷを介したデータの送受信を実行する処理部である。
信号伝送端末１はこの通信処理部１３により、信号伝送端末２に対してリファレンス信号を送信したり、信号伝送端末２からリファレンス信号を受信したりすることができる。
【００２１】
なお、信号伝送端末２も信号伝送端末１と同様、信号記憶部２Ａ、伝送制御部２１、評価処理部２２、及び通信処理部２３を有しており、各機能部は夫々、信号伝送端末１が備える信号記憶部１Ａ、伝送制御部１１、評価処理部１２、及び通信処理部１３と同様の機能によって構成される。
【００２２】
また、信号伝送端末１（２）が備えた信号記憶部１Ａ（２Ａ）、伝送制御部１１（２１）、及び評価処理部１２（２２）は、信号伝送品質を評価するためのアプリケーションプログラムとして信号伝送端末１（２）にインストールされる。
【００２３】
次に、本実施形態に係る信号伝送品質評価システムによる一連の処理の流れの例について、図３を参照して説明する。
この例では、信号伝送端末１、２間の通話に、SIP(Session Initiation Protocol)による管理・制御を行うSIPサーバ３が介在しており、このSIPサーバ３によって発呼情報の仲介が行われる。
【００２４】
まず、信号伝送端末１において、信号伝送品質評価の実行が要求されると、通信処理部１３により、信号伝送端末２との間に通信を確立させる処理が実行される。
即ち、信号伝送端末１からSIPサーバ３に対して呼び出し要求(INVITE)が送信される（S101）。これに応じてSIPサーバ３は、信号伝送端末２に対して呼び出し要求(INVITE)を送信する（S102）と共に、信号伝送端末１に対して処理中通知(100 Trying)を返す（S103）。
【００２５】
信号伝送端末２では、呼び出し要求(INVITE)に基づいて着信状態が継続する。着信中は、信号伝送端末２から呼び出し中(180 Ringing)がSIPサーバ３に送信され（S104）、さらにSIPサーバ３から信号伝送端末１に対して呼び出し中(180 Ringing)が送信される（S105）、信号伝送端末１では、呼び出し中の状態が継続する。
【００２６】
信号伝送端末２が呼び出しに対して応答すると、信号伝送端末２からSIPサーバ３に対して呼び出し成功(200 OK)が送信され（S106）、さらにSIPサーバ３から信号伝送端末１に対して呼び出し成功(200 OK)が送信される（S107）。
【００２７】
これに応じて、信号伝送端末１からSIPサーバ３に対して確認応答(ACK)が送信されると（S108）、SIPサーバ３から信号伝送端末２に対して確認応答(ACK)が送信され（S109）、端末間の通信が確立した状態が形成される。
【００２８】
ここで、信号伝送端末１の伝送制御部１１は、呼び出し成功(200 OK)の受信を契機として、確認応答(ACK)を送信すると同時に、信号伝送端末２へのリファレンス信号の送信を開始する（S110）。即ち、伝送制御部１１は、信号記憶部１Ａに記憶されているリファレンス信号を直接、通信の確立された伝送路内に挿入し、送信処理部１３により、信号伝送端末２に対して当該リファレンス信号を送信させる。
【００２９】
一方、信号伝送端末２の伝送制御部２１も、確認応答(ACK)を受信すると同時に、信号伝送端末１へのリファレンス信号の送信を開始する（S111）。
【００３０】
なお、信号伝送端末１、２は他方の端末に対して、リファレンス信号を構成する複数の音声ファイルを繰り返し送信し、当該繰り返し送信されたリファレンス信号が試験信号を構成している。
【００３１】
信号伝送端末１は、信号伝送端末２からリファレンス信号を受信するのに応じて、リファレンス信号の伝送品質の評価を実行し始める（S112）。即ち、評価処理部１２は、信号伝送端末２から受信した試験信号と、信号記憶部１Ａに記憶されているオリジナル信号とを対比することにより、信号伝送品質を評価する。
ここで、信号伝送端末２から受信した試験信号は所定のメモリに記憶され、これと同時に、録音が完了した音声ファイルごとにオリジナル信号の対応する音声ファイルとの対比による評価が実行される（信号伝送端末２においても同様である）。
【００３２】
一方、信号伝送端末２も、信号伝送端末１からリファレンス信号を受信するのに応じて、リファレンス信号の伝送品質の評価を実行し始める（S113）。即ち、評価処理部２２は、信号伝送端末１から受信した試験信号と、信号記憶部２Ａに記憶されているオリジナル信号とを対比することにより、信号伝送品質を評価する。
【００３３】
ここで、信号伝送端末１、２において、評価処理部１２、２２により信号伝送品質の評価が実行されている際の画面例を図４、図５に示す。
なお、図４は発呼側である信号伝送端末１の画面、図５は着呼側である信号伝送端末２の画面を示している。
「順序」は、試験信号を構成する複数の音声ファイルの識別番号を受信及び評価した順番で表示している。
「POLQA」は、音声評価値を表示している。
「減衰量」は、試験信号とオリジナル信号の音量差分を示している。
「期間」は、試験信号の録音時間を示しており、本例ではリファレンス信号を構成する複数の音声ファイルごとの録音時間が示されている。
【００３４】
予め定められていた所定時間、信号伝送端末１から信号伝送端末２に対してリファレンス信号が送信されると、信号伝送端末１はリファレンス信号の送信を終了する。これにより、セッション終了通知(BYE)がSIPサーバ３に送信され（S114）、これに応じてSIPサーバ３は信号伝送端末２に対してセッション終了通知(BYE)を送信する（S115）。
セッション終了通知(BYE)を受信した信号伝送端末２からSIPサーバ３に対して了解(200 OK)が送信され（S116）、これに応じてSIPサーバ３から信号伝送端末１に対して了解(200 OK)が送信されると（S117）、これにより一連の処理が終了する。
【００３５】
以上の本実施形態に係る信号伝送品質評価システムによれば、リファレンス信号を伝送させる前段階での劣化を防ぐことができ、これにより音声の正確な伝送品質を評価することができる。また、二端末間における双方向の伝送品質の評価を容易に行うことができる。さらに、音声品質評価にかかる手間が軽減される。
【符号の説明】
【００３６】
１      信号伝送端末
１Ａ    信号記憶部
１１    伝送制御部
１２    評価処理部
１３    通信処理部
２      信号伝送端末
２Ａ    信号記憶部
２１    伝送制御部
２２    評価処理部
２３    通信処理部
ＮＷ    ネットワーク
【図１】
2018182606.tif 000003
【図２】
2018182606.tif 000004
【図３】
2018182606.tif 000005
【図４】
2018182606.tif 000006
【図５】
2018182606.tif 000007